(57)【要約】【課題】機体での電源スイッチオンから立ち上げ完了、操作開始状態までの時間を見かけ上短縮することができる。【解決手段】汎用ＯＳを含む制御部ソフトウェアをあらかじめ起動しておくようにしたものである。【選択図】      図３
2005202880.tif 000002
【特許請求の範囲】
【請求項１】
券の発行内容を設定する設定手段と、
この設定手段により設定された券を発行する券発行手段と、
上記設定手段、券発行手段をオペレーティングシステム（以降ＯＳ）を用いて制御する制御手段と、
この制御手段に対してブレーカを介して選択的に電源を供給する第１の供給手段と、
この第１の供給手段により上記制御手段に対して電源が供給された際に、上記制御手段のＯＳによる起動処理を実行する第１の実行手段と、
上記設定手段、券発行手段に対して電源スイッチを介して選択的に上記第１の供給手段からの電源を供給する第２の供給手段と、
上記第１の実行手段により上記制御手段のＯＳによる起動処理が実行されている状態で、上記第２の供給手段により上記設定手段、券発行手段に対して電源が供給された際に、上記設定手段、券発行手段に対する立上げ処理を実行する第２の実行手段と、
を具備したことを特徴とする券発行機。
【請求項２】
券の発行内容を設定する設定手段と、
この設定手段により設定された券を発行する券発行手段と、
上記設定手段、券発行手段をＯＳを用いて制御する制御手段と、
操作案内を行う案内手段と、
上記制御手段と上記案内手段に対してブレーカを介して選択的に電源を供給する第１の供給手段と、
この第１の供給手段により上記制御手段に対して電源が供給された際に、上記制御手段のＯＳによる起動処理を実行する第１の実行手段と、
上記設定手段、券発行手段に対して電源スイッチを介して選択的に上記第１の供給手段からの電源を供給する第２の供給手段と、
上記第１の実行手段により上記制御手段のＯＳによる起動処理が実行されている状態で、上記第２の供給手段により上記設定手段、券発行手段に対して電源が供給された際に、上記設定手段、券発行手段に対する立上げ処理を実行する第２の実行手段と、
上記第１の実行手段により上記制御手段のＯＳによる起動処理時の異常を判断する判断手段と、
この判断手段により上記制御手段のＯＳによる起動処理時の異常を判断した際に、この異常を上記案内手段により案内する処理手段と、
を具備したことを特徴とする券発行機。
【請求項３】
券の発行内容を設定する設定手段と、
この設定手段により設定された券を発行する券発行手段と、
上記設定手段、券発行手段をＯＳを用いて制御する制御手段と、
操作案内を行う案内手段と、
上記制御手段と上記案内手段に対してブレーカを介して選択的に電源を供給する第１の供給手段と、
この第１の供給手段により上記制御手段に対して電源が供給された際に、上記制御手段のＯＳによる起動処理を実行する第１の実行手段と、
上記設定手段、券発行手段に対して電源スイッチを介して選択的に上記第１の供給手段からの電源を供給する第２の供給手段と、
上記第１の実行手段により上記制御手段のＯＳによる起動処理が実行されている状態で、上記第２の供給手段により上記設定手段、券発行手段に対して電源が供給された際に、上記設定手段、券発行手段に対する立上げ処理を実行する第２の実行手段と、
上記第１の実行手段により上記制御手段のＯＳによる起動処理時の異常を判断する判断手段と、
この判断手段により上記制御手段のＯＳによる起動処理時の異常を判断した際に、この異常を上記案内手段により案内する処理手段と、
上記第１の実行手段により上記制御手段のＯＳによる起動処理の開始から所定時間経過しても上記判断手段により上記制御手段のＯＳによる起動処理時の異常を判断しなかった際に、上記第１の供給手段による上記案内手段に対する電源の供給を遮断する遮断手段と、
を具備したことを特徴とする券発行機。
【請求項４】
券の発行内容を設定する設定手段と、
この設定手段により設定された券を発行する券発行手段と、
上記設定手段、券発行手段をオペレーティングシステム（以降ＯＳ）を用いて制御する制御手段と、
この制御手段に対してブレーカを介して選択的に電源を供給する第１の供給手段と、
この第１の供給手段により上記制御手段に対して電源が供給された際に、上記制御手段のＯＳによる起動処理を実行する第１の実行手段と、
上記設定手段、券発行手段に対して電源スイッチを介して選択的に上記第１の供給手段からの電源を供給する第２の供給手段と、
上記第１の実行手段により上記制御手段のＯＳによる起動処理が実行されている状態で、上記電源スイッチのオンにより上記設定手段、券発行手段に対して電源が供給された際に、上記設定手段、券発行手段に対する立上げ処理を実行する第２の実行手段と、
この第２の実行手段により上記設定手段、券発行手段に対する立上げ処理が実行されている状態で、上記電源スイッチがオフされた際に、上記第２の供給手段による上記設定手段、券発行手段に対する電源の供給を直ちに遮断する遮断手段と、
を具備したことを特徴とする券発行機。
【発明の詳細な説明】
【技術分野】
【０００１】
この発明は、乗車券を発行する券発行機に関する。
【背景技術】
【０００２】
従来、乗車券を発行する駅務機器としての券発行機では、故障時や点検時に裏側の駅務事務室側に設けられた係員パネルを利用して係員モードによる処理が行われるようになっている。
【０００３】
このような券発行機を含む駅務機器のネットワーク化などに伴い、Windows（登録商標）などの汎用ＯＳを用いるようになってきている。
【０００４】
このような汎用ＯＳを用いる券発行機では、一般的に通電してからの起動時間が数分以上かかってしまい、従来の非汎用ＯＳで実現していた、１分以内の起動時間が実現できなくなってしまうという欠点があった。
【０００５】
すなわち、駅などでの運用では故障時や点検時に今まで１分以内（３０秒程度）で実施できていた作業が、都度都度数分以上かかるようになった。
【０００６】
また、従来、ブレーカと電源スイッチにより電源電圧の印加状態を変更するものが提案されている（特許文献１）が、汎用ＯＳによる処理については何ら考慮されていない。
【特許文献１】特開２００１−０９２９９６号公報
【発明の開示】
【発明が解決しようとする課題】
【０００７】
この発明は、ＯＳを用いて券を発行する券発行機において、電源をオンしてからの操作開始状態までの時間を見かけ上短縮することができる券発行機を提供することを目的としている。
【課題を解決するための手段】
【０００８】
この発明の券発行機は、券の発行内容を設定する設定手段と、この設定手段により設定された券を発行する券発行手段と、上記設定手段、券発行手段をＯＳを用いて制御する制御手段と、この制御手段に対してブレーカを介して選択的に電源を供給する第１の供給手段と、この第１の供給手段により上記制御手段に対して電源が供給された際に、上記制御手段のＯＳによる起動処理を実行する第１の実行手段と、上記設定手段、券発行手段に対して電源スイッチを介して選択的に上記第１の供給手段からの電源を供給する第２の供給手段と、上記第１の実行手段により上記制御手段のＯＳによる起動処理が実行されている状態で、上記第２の供給手段により上記設定手段、券発行手段に対して電源が供給された際に、上記設定手段、券発行手段に対する立上げ処理を実行する第２の実行手段とを有する。
この発明の券発行機は、券の発行内容を設定する設定手段と、この設定手段により設定された券を発行する券発行手段と、上記設定手段、券発行手段をＯＳを用いて制御する制御手段と、操作案内を行う案内手段と、上記制御手段と上記案内手段に対してブレーカを介して選択的に電源を供給する第１の供給手段と、この第１の供給手段により上記制御手段に対して電源が供給された際に、上記制御手段のＯＳによる起動処理を実行する第１の実行手段と、上記設定手段、券発行手段に対して電源スイッチを介して選択的に上記第１の供給手段からの電源を供給する第２の供給手段と、上記第１の実行手段により上記制御手段のＯＳによる起動処理が実行されている状態で、上記第２の供給手段により上記設定手段、券発行手段に対して電源が供給された際に、上記設定手段、券発行手段に対する立上げ処理を実行する第２の実行手段と、上記第１の実行手段により上記制御手段のＯＳによる起動処理時の異常を判断する判断手段と、この判断手段により上記制御手段のＯＳによる起動処理時の異常を判断した際に、この異常を上記案内手段により案内する処理手段とを有する。
この発明の券発行機は、券の発行内容を設定する設定手段と、この設定手段により設定された券を発行する券発行手段と、上記設定手段、券発行手段をＯＳを用いて制御する制御手段と、操作案内を行う案内手段と、上記制御手段と上記案内手段に対してブレーカを介して選択的に電源を供給する第１の供給手段と、この第１の供給手段により上記制御手段に対して電源が供給された際に、上記制御手段のＯＳによる起動処理を実行する第１の実行手段と、上記設定手段、券発行手段に対して電源スイッチを介して選択的に上記第１の供給手段からの電源を供給する第２の供給手段と、上記第１の実行手段により上記制御手段のＯＳによる起動処理が実行されている状態で、上記第２の供給手段により上記設定手段、券発行手段に対して電源が供給された際に、上記設定手段、券発行手段に対する立上げ処理を実行する第２の実行手段と、上記第１の実行手段により上記制御手段のＯＳによる起動処理時の異常を判断する判断手段と、この判断手段により上記制御手段のＯＳによる起動処理時の異常を判断した際に、この異常を上記案内手段により案内する処理手段と、上記第１の実行手段により上記制御手段のＯＳによる起動処理の開始から所定時間経過しても上記判断手段により上記制御手段のＯＳによる起動処理時の異常を判断しなかった際に、上記第１の供給手段による上記案内手段に対する電源の供給を遮断する遮断手段とを有する。
この発明の券発行機は、券の発行内容を設定する設定手段と、この設定手段により設定された券を発行する券発行手段と、上記設定手段、券発行手段をＯＳを用いて制御する制御手段と、この制御手段に対してブレーカを介して選択的に電源を供給する第１の供給手段と、この第１の供給手段により上記制御手段に対して電源が供給された際に、上記制御手段のＯＳによる起動処理を実行する第１の実行手段と、上記設定手段、券発行手段に対して電源スイッチを介して選択的に上記第１の供給手段からの電源を供給する第２の供給手段と、上記第１の実行手段により上記制御手段のＯＳによる起動処理が実行されている状態で、上記電源スイッチのオンにより上記設定手段、券発行手段に対して電源が供給された際に、上記設定手段、券発行手段に対する立上げ処理を実行する第２の実行手段と、この第２の実行手段により上記設定手段、券発行手段に対する立上げ処理が実行されている状態で、上記電源スイッチがオフされた際に、上記第２の供給手段による上記設定手段、券発行手段に対する電源の供給を直ちに遮断する遮断手段とを有する。
【発明の効果】
【０００９】
以上詳述したように、この発明によれば、ＯＳを用いて券を発行する券発行機において、電源をオンしてからの操作開始状態までの時間を見かけ上短縮することができる券発行機を提供できる。
【発明を実施するための最良の形態】
【００１０】
以下、図面を参照してこの発明の実施形態の券発行装置としての自動券売機を説明する。
【００１１】
図１は、この発明の乗車券（切符）を印刷発行する自動券売機１の外観斜視図を示す図である。
【００１２】
この自動券売機１の前面の接客面には、券の購入に応じた画面が表示されるタッチパネル２ａ内蔵のカラー液晶表示部（ＬＣＤ）によって構成される表示部２、紙幣を投入するとともに、紙幣が排出される紙幣投入口３、金額カード（カード）あるいは定期券を投入するとともに、金額カード、定期券が排出されるカード投入口４、硬貨を投入する硬貨投入口５、乗車券を発行する乗車券発行口６、硬貨を排出する硬貨排出口７、および発行された乗車券や釣り銭が放出される受け皿８がそれぞれ設けられている。
【００１３】
上記紙幣投入口３、カード投入口４、硬貨投入口５、乗車券発行口６、および硬貨排出口７は、上記表示部２の下部に集合して（１つにまとまって）配設されており、排出されたカード等の取り忘れを防ぐことができるようになっている。
【００１４】
また、図２に示すように、上記自動券売機１の後面の係員面には、係員パネル９と電源スイッチ１０等が設けられ、後面の下方にブレーカ１１が設けられている。
【００１５】
図３は上記自動券売機１の構成を示すものである。
【００１６】
すなわち、上記自動券売機１は、上記表示部２を駆動制御する表示処理ユニット（接客部）１２と、紙幣投入口３からの紙幣を扱う紙幣処理ユニットとしてのビルメカ１３、カード投入口４からのカード等を扱うカード処理ユニットとしてのカードメカ１４、硬貨投入口５からの硬貨を扱い硬貨排出口７から釣り銭等を放出する硬貨処理ユニットとしてのコインメカ１５、乗車券を発券して乗車券発行口６から放出する発券処理ユニットとしての発券メカ１６、上記接客部１２、ビルメカ１３、カードメカ１４、コインメカ１５、発券メカ１６、及び係員パネル９を制御する制御部１７、上記接客部１２、ビルメカ１３、カードメカ１４、コインメカ１５、発券メカ１６に電源電圧を供給する第１電源部１８と、上記制御部１７に電源電圧を供給する第２電源部１９と、上記係員パネル９に電源電圧を供給する第３電源部２０と、上記係員パネル９、電源スイッチ１０、ブレーカ１１により構成されている。
【００１７】
上記第１電源部１８は電源スイッチ１０によりオン、オフし、第３電源部２０は制御部１７からの制御信号によりオン、オフするようになっている。第１電源部１８と第２電源部１９と第３電源部２０とには、ブレーカ１１を介してコンセント２１からの交流の電源電圧が供給されている。
【００１８】
上記制御部１７と各メカ、接客部とはインターフェースによって接続されている。
【００１９】
上記発券メカ１６は、図示しない印刷部とエンコード部とからなり、印刷部で印刷された券紙はエンコード部へ送られ、ここでその磁気記録部に自動改札用の磁気情報が記録され、乗車券発行口６から受け皿８に乗車券として放出されるようになっている。
【００２０】
上記制御部１７は、制御プログラムとしての汎用ＯＳ含む主制御ソフトウェアが記憶されているメモリ（図示しない）と、このメモリに記憶されている主制御ソフトウェアに基づいて作動するＣＰＵ（図示しない）により構成されている。
【００２１】
上記ブレーカ１１がオンされることにより、第２電源部１９からの電源電圧が、常時、上記制御部１７に供給され、第３電源部２０からの電源電圧が、上記係員パネル９に供給されるようになっている。
【００２２】
また、上記ブレーカ１１がオンされている状態で、電源スイッチ１０をオンすることにより、第１電源部１８の電源電圧が、上記接客部１２と各メカ１３〜１６に供給されるようになっている。
【００２３】
次に、このような構成において、動作を図４、図５に示すフローチャートを参照しつつ説明する。
【００２４】
まず、ブレーカ１１がオンされる（ＳＴ１）。このオンにより、第２電源部１９からの電源電圧が、常時、上記制御部１７に供給され、第３電源部２０からの電源電圧が、上記係員パネル９に供給される（ＳＴ２）。これにより、制御部１７は汎用ＯＳ含む主制御ソフトウェアによる自動起動処理を開始する（ＳＴ３）。ついで、制御部１６は、この起動処理中に異常が発生したか否かを判断する（ＳＴ４）。この結果、異常の発生を判断した際、制御部１７はその異常の内容を係員パネル９に表示して案内する（ＳＴ５）。
【００２５】
また、上記異常を判断しないで制御部１７による自動起動処理が完了した際（ＳＴ６）、見かけ上、電源オフの状態となっている。
【００２６】
この状態において、電源スイッチ１０がオンされることにより（ＳＴ７）、第１電源部１８の電源電圧が、上記接客部１２と各メカ１３〜１６に供給される（ＳＴ８）。これにより、発券メカ１６などの各ユニットに電源を供給し、見かけ上も電源オンの状態となり、通常の待機状態になる。
【００２７】
上記ステップ７において電源スイッチ１０がオフの際、ステップ１４へ進む。
また、制御部１７は上記ステップ４による異常の発生していない状態が所定時間経過したか否かを判断する（ＳＴ９）。この状態を判断した際、制御部１７は第３電源部２０へ遮断の制御信号を出力する。これにより、第３電源部２０からの係員パネル９への電源供給が遮断される（ＳＴ１０）。
【００２８】
また、上記接客部１２と各メカ１３〜１６等の立上げ処理が完了する（ＳＴ１１）。これにより、自動券売機１により券の発行待機状態となる。
【００２９】
この後、電源スイッチ１０がオフされると（ＳＴ１２）、第１電源部１８から上記接客部１２と各メカ１３〜１６への電源供給が遮断される（ＳＴ１３）。
【００３０】
この状態において、ブレーカ１１がオフされなかった際に（ＳＴ１４）、ステップ１１に戻る。
【００３１】
また、ステップ１４において、ブレーカ１１がオフされた際に、制御部１７はシャットダウン処理を行う（ＳＴ１５）。
上記したように、汎用ＯＳを含む制御部ソフトウェアをあらかじめ起動しておくことにより、機体での電源スイッチオンから立ち上げ完了、操作開始状態までの時間を見かけ上短縮することができる。
【００３２】
すなわち、通常の駅運用では、券売機の発売開始（電源スイッチのオン）に先立って、数分〜数十分前にはブレーカがオンされるため、効果がある。
【００３３】
また、立ち上がり時に制御部ソフトウェアの異常を表示できるようにするため、係員パネルのみ電源をオンしておく。
【００３４】
すなわち、異常表示以外の時は係員パネルへの電源は入っているが、無表示とすることにより、見かけ上は電源スイッチの入り待ちとすることができる。
さらに、作業上の安全を確保するため、発券ユニットなどの、ユニット類については電源スイッチのオフにより、即座に電源を切る。
【００３５】
すなわち、ユニット類はモータやベルトなどの駆動部があるため、電源スイッチと連動してオフになると想定して作業されることが多いので、電源スイッチに連動して、ユニットへの電源をオフすることにより、故障時・保守時の安全を確保できる。
また、券発行機として自動券売機の場合について説明したが、これに限らず、自動精算機、定期券発行機の場合も同様に実施できる。
【図面の簡単な説明】
【００３６】
【図１】この発明の実施形態の自動券売機の概略構成を示す外観斜視図。
【図２】自動券売機の後面の概略構成を示す図。
【図３】自動券売機の概略構成を示すブロック図。
【図４】動作を説明するためのフローチャート。
【図５】動作を説明するためのフローチャート。
【符号の説明】
【００３７】
１…自動券売機、９…係員パネル、１０…電源スイッチ、１１…ブレーカ、１２…接客部、１３…ビルメカ、１４…カードメカ、１５…コインメカ、１６…発券メカ、１７…制御部、１８…第１電源部、１９…第２電源部、２０…第３電源部。
【図１】
2005202880.tif 000003
【図２】
2005202880.tif 000004
【図３】
2005202880.tif 000005
【図４】
2005202880.tif 000006
【図５】
2005202880.tif 000007